(57)【要約】【課題】  送信済みのファクシミリデータを送信側からの要求により削除する。【解決手段】  送信側のファクシミリ装置が非標準機能設定信号（ＮＳＳ）により、送信済みのファクシミリデータを削除するよう要求を行う削除要求手段と、受信側のファクシミリ装置が同要求に従い、保持されていたファクシミリデータを削除する削除手段とを備えたことにより課題を実現した。  ファクシミリデータの特定には、最初のデータ送信時にともに送信される文書ＩＤを用いる。【選択図】図２
2008109408.tif 000002
【特許請求の範囲】
【請求項１】
送信済みのファクシミリデータについて、送信側のファクシミリ装置より削除を要求して、前記削除の要求を受けた受信側のファクシミリ装置が該ファクシミリデータを削除する
ことを特徴とするファクシミリ通信方法。
【請求項２】
送信側から送信されて、受信したファクシミリデータの削除を受信側へ要求する送信側の削除要求手段と、
前記削除要求に基づき、前記受信したファクシミリデータを削除する受信側の削除手段と、を有する
ことを特徴とするファクシミリ装置。
【請求項３】
請求項２のファクシミリ装置であって、
前記削除要求手段は、前記ファクシミリデータの送信側が前記ファクシミリデータの受信先に再度通信を行って削除を要求する
ことを特徴とするファクシミリ装置。
【請求項４】
請求項２または３のファクシミリ装置であって、
前記削除手段は、前記削除要求手段により指定されたファクシミリデータが印字出力前で保持されている際に該ファクシミリデータを削除する
ことを特徴とするファクシミリ装置。
【請求項５】
請求項２から４のいずれかのファクシミリ装置であって、
前記削除要求手段は、ファクシミリ通信の非標準機能設定信号（ＮＳＳ）を用いて削除要求を行う
ことを特徴とするファクシミリ装置。
【請求項６】
請求項２から５のいずれかのファクシミリ装置であって、
前記ファクシミリデータの送信の際には、前記ファクシミリデータを文書ＩＤにより管理し、前記ファクシミリデータの送信とともに前記文書ＩＤの送信を行い、
前記ファクシミリデータの受信の際には、前記ファクシミリデータと前記文書ＩＤを関連付けて管理する
ことを特徴とするファクシミリ装置。
【請求項７】
請求項６のファクシミリ装置であって、
前記削除要求手段及び削除手段は、前記文書ＩＤにより、削除要求及び削除するファクシミリデータを指定する
ことを特徴とするファクシミリ装置。
【請求項８】
請求項２から７のいずれかのファクシミリ装置であって、
前記削除手段は、ファクシミリデータが削除された際には、その旨を受信側でレポート出力する
ことを特徴とするファクシミリ装置。
【発明の詳細な説明】
【技術分野】
【０００１】
ファクシミリ装置において、送信済みのファクシミリデータを削除する技術に関するファクシミリ通信方法およびファクシミリ装置。
【背景技術】
【０００２】
ファクシミリ装置においては、一度送信を実行してしまうと、その後宛先や原稿の間違いに気づいたとしても、相手に届いてしまっているので、例えば相手に電話をかけて画像を削除してもらう必要がある。
【０００３】
従来技術として、ファクシミリデータを送信して、受信先からの受領確認を得た後、送信データを消去する方法があった（特許文献１参照）。
【０００４】
しかし、この方法で消去可能なのは送信側のファクシミリデータであって、受信側のものではない。
【０００５】
通常ファクシミリデータを受信した場合には、即時の印字出力をするのが一般的であるが、装置によっては、表示パネルで確認を行ってから印字出力したりする方式がある。また、用紙やインクが足りなくなって受信データが保存状態となっている場合もある。これらの場合には、受信データが閲覧前であるので受信データを消去することに意味がある。しかしこれまで受信データを受信終了後に消去する方法は無かった。
【０００６】
【特許文献１】特開２００１−１６９０６６号公報
【発明の開示】
【発明が解決しようとする課題】
【０００７】
解決しようとする問題点は、送信済みのファクシミリデータを送信側からの要求により削除することができなかった点である。
【課題を解決するための手段】
【０００８】
本発明のファクシミリ通信方法は、送信済みのファクシミリデータについて、送信側のファクシミリ装置より削除を要求して、前記削除の要求を受けた受信側のファクシミリ装置が該ファクシミリデータを削除することを特徴とする。
【０００９】
本発明のファクシミリ装置は、送信側から送信されて受信したファクシミリデータの削除を受信側へ要求する送信側の削除要求手段と前記削除要求に基づき、前記受信したファクシミリデータを削除する受信側の削除手段とを有することを最も主要な特徴とする。
【発明の効果】
【００１０】
本発明のファクシミリ通信方法は、送信済みのファクシミリデータについて、送信側のファクシミリ装置より削除を要求して、前記削除の要求を受けた受信側のファクシミリ装置が該ファクシミリデータを削除することを特徴とするため、送信済みのファクシミリデータを送信側からの要求により削除することが可能となった。
【００１１】
本発明のファクシミリ装置は、送信側から送信されて受信したファクシミリデータの削除を受信側へ要求する送信側の削除要求手段と前記削除要求に基づき、前記受信したファクシミリデータを削除する受信側の削除手段とを有することを最も主要な特徴とするため、送信済みのファクシミリデータを送信側からの要求により削除することが可能となった。
【発明を実施するための最良の形態】
【００１２】
送信済みのファクシミリデータを送信側からの要求により削除することが出来ないという問題点を送信側のファクシミリ装置が非標準機能設定信号（ＮＳＳ）により、指定のファクシミリデータを削除する要求を行い、受信側のファクシミリ装置が同要求に従い、保持されていたファクシミリデータを削除することにより実現した。
【実施例１】
【００１３】
［構成］
図１は、実施例に係るファクシミリ装置の概略構成を示している。
【００１４】
ファクシミリ装置は、マイクロコンピュータ等から構成される主制御部１１によって制御される。この主制御部１１に接続される入出力機器として、ファクシミリ装置は、原稿画像を読み取る読取部１３、受信画像等を記録紙に記録する記録部１５、ワンタッチダイヤル、短縮ダイヤルを含むダイヤル入力操作を行うための操作部１７、プログラム、データ、画情報などの各種情報が記憶される記憶部１９、プログラマブルトーン送出及び検出機能を有するモデム２１、並びに回路網の制御を行う網制御部（ＮＣＵ）２３を備えている。
【００１５】
主制御部１１は、削除要求手段を備えており、送信済みのファクシミリデータについて、ユーザから該ファクシミリデータの削除の要求があった際には、再度送信先のファクシミリ装置に通信を行い、非標準機能設定信号（ＮＳＳ）（詳細後述）を用いて該ファクシミリデータの削除を要求する。
【００１６】
また、主制御部は、削除手段を備えており、ファクシミリデータを受信後に該データの送信元からの通信により削除要求を受信した際には、該ファクシミリデータを確認して、該ファクシミリデータが保存されていた場合には、削除を行う。
【００１７】
主制御部は、ファクシミリデータの送受信を行う際には、各データに関連付けた文書ＩＤをともに送信する。
【００１８】
主制御部は、削除要求及び削除の際には、前記文書ＩＤを用いてファクシミリデータを特定する。
【００１９】
［送受信シーケンス］
図２は、図１のような機能ブロックで構成された２つのファクシミリ装置（本発明実施例において、送信側のファクシミリ装置を送信局と言い、受信側のファクシミリ装置を受信局と言う場合がある。）間において、信号のやりとりを行う際の手順を示す。
【００２０】
まず図２（Ａ）により、ファクシミリデータの通常の送信について説明する。
【００２１】
送信局から受信局にコーリングトーン（ＣＮＧ）を送出する。
【００２２】
受信局は、コーリングトーン（ＣＮＧ）を検知すると、受信局識別信号（ＣＥＤ）を送出して、引き続き非標準機能識別信号（ＮＳＦ）、並びにデジタル識別信号（ＤＩＳ）を送出する。
【００２３】
送信局は、上記の非標準機能識別信号（ＮＳＦ）信号を受信すると、本発明による装置間の通信であると認識して、非標準機能設定信号（ＮＳＳ）を送信し、引き続いて文書ＩＤを送信する。
【００２４】
受信局は、送信局から送られてきた文書ＩＤを、その後受信するファクシミリデータと関連付けて管理しておく。
【００２５】
次に、図２（Ｂ）により、受信局に保存されているファクシミリデータを送信局側から削除する場合について説明する。
【００２６】
送信局は、送信履歴等から削除したい通信（ファクシミリデータ）をパネルから選択し、実行ボタンを押す。その後のやり取りは、ＮＳＳまでは、図２（Ａ）において説明したものと同じである。
【００２７】
非標準機能設定信号（ＮＳＳ）に続いてこの通信がファクシミリデータの送信ではなくて、送信済みのデータの削除要求であること及び削除したいファクシミリデータの文書ＩＤを送信する。
【００２８】
受信局は、送信局から指定された文書ＩＤに関連付けられたファクシミリデータが見つかった場合、同データを削除してメッセージ確認信号（ＭＣＦ）を返す。ファクシミリデータが見つからなかった場合は、同データが既に削除されていたことを意味する切断命令信号（ＤＣＮ）を返す。
【００２９】
また、削除に成功した場合、受信局は、ファクシミリデータが削除されたことをユーザに知らせるため、受信データが送信者により削除されたことを意味するレポートを印字する。
【００３０】
以上の一連の動作により、ファクシミリデータの送信、送信済みのファクシミリデータの削除が可能となった。
［実施例の効果］
本発明実施例のファクシミリ装置により、送信済みのファクシミリデータを送信側からの再度の通信による削除要求により受信側のファクシミリ装置に残っていたファクシミリデータを削除することが可能となった。
【００３１】
以上により、ユーザが間違ってファクシミリ送信を行った場合には、自分が送信した画像データを相手機（受信局）のメモリから削除することが可能となった。
【図面の簡単な説明】
【００３２】
【図１】ファクシミリ装置の機能ブロック図である（実施例１）。
【図２】送受信時のシーケンス図である（実施例１）。
【符号の説明】
【００３３】
１１  主制御部（削除要求手段、削除手段）
【図１】
2008109408.tif 000003
【図２】
2008109408.tif 000004